(57)【特許請求の範囲】
【請求項１】
基台上にカセットブロックを挟持して固定するための固定クランプと可動クランプとを具備してなり、前記固定クランプが、板状体で、その１対の対向辺に前記カセットブロックに係合しうる切欠き部を複数個有するとともに、前記両対向辺を互いに入れ替えるように転向可能に且つ着脱自在に前記基台上に固定され、さらに、前記可動クランプが前記固定クランプとの間を開閉自在とされていることを特徴とするミクロトーム用カセットクランプ。
【発明の詳細な説明】
【０００１】
【発明の属する技術分野】
本発明は、医療検査用顕微鏡標本の作製に使用するカセットブロックをミクロトームに固定するためのカセットクランプに関する。
【０００２】
【従来の技術】
従来より、この種のカセットクランプには種々のものが提供されているが、その代表的なものの１つに実用新案登録第２５０７４４６号公報記載のものがある。
このカセットクランプは、ミクロトーム上に装着された基台上にカセットブロック固定用の固定腕及び可動腕と、可動腕開閉用のレバーとを備えてなるものである。
【０００３】
そして、顕微鏡標本を作製する場合には、まず、レバーを操作して可動腕を開き、固定腕と可動腕との間の基台上にカセットブロックを載せる。次に、レバーを操作して可動腕を閉じ、固定腕と可動腕との間にカセットブロックを挟持して固定する。続いて、カセットブロックにおける検体を包埋したパラフィン部分をミクロトームによりスライスし、スライスした薄片に染色等の所定の処理を施して顕微鏡標本を得ていた。
【０００４】
【発明が解決しようとする課題】
しかし、検体の形状及び大きさは必ずしも一様でないため、これをパラフィン中に包埋したカセットブロックの形状、寸法も様々である。そのため、従来のカセットクランプによると、カセットブロックの種類だけそれぞれ専用のカセットクランプが必要となり、その製作費が嵩むとともに、カセットクランプの取替え作業が煩わしいという問題があった。
本発明は、従来のカセットクランプを改良して、このような問題点を解消することを目的とする。
【０００５】
【課題を解決するための手段】
上記目的を達成するために、本発明のミクロトーム用カセットクランプは、基台上にカセットブロックを挟持して固定するための固定クランプと可動クランプとを具備してなり、前記固定クランプが、板状体で、その１対の対向辺に前記カセットブロックに係合しうる切欠き部を複数個有するとともに、前記両対向辺を互いに入れ替えうるように転回可能に且つ着脱自在に前記基台上に固定され、さらに、前記可動クランプが前記固定クランプとの間を開閉自在とされていることを特徴とするものである。
【０００６】
【作用】
本発明のカセットクランプを使用して顕微鏡標本を作製するには、カセットクランプの基台をミクロトーム上に装着し、カセットブロックを固定クランプと可動クランプとの間の基台上に載せる。続いて、カセットブロックを構成するカセットの対向側壁の一方を固定クランプの切欠き部に係合させた後、可動クランプを閉じてカセットの他方の対向側壁に当接させ、両クランプの間にカセットブロックを挟持させて固定する。次に、カセットブロックの、検体を包埋したパラフィン部分をミクロトームによりスライスし、スライスした薄片に染色等の所定の処理を施して顕微鏡標本を得るのである。その際、カセットの対向側壁の一方が固定クランプの切欠き部に係合しているので、スライスは可動クランプの開閉方向及びこれと直角方向のいずれの方向にも可能である。
【０００７】
なお、カセットブロックの形状、寸法が異なるときは、その対向側壁の一方に適合しうる、固定クランプに設けた切欠き部を選択して使用すればよく、また、係合しうる切欠き部が可動クランプ側にないときは、固定クランプを半回転だけ水平転回して対向辺の切欠き部が可動クランプ側に来るようにして、適合し得る切欠き部を選択すればよい。
【０００８】
【実施例】
以下、本発明の一実施例を図面に基づいて説明するが、本発明は必ずしも本実施例に限定されるものでないことはいうまでもない。
【０００９】
本実施例のカセットクランプは、図１〜図３に示すように、基台１にカセットブロックを挟持、固定するための固定クランプ２及び可動クランプ３と、可動クランプ３を固定クランプ２に対して開閉させるためのカム軸４と、可動クランプ３を固定クランプ２の方向に付勢するための付勢手段５とが組み付けられてなるものである。
【００１０】
基台１は、方形体状の基台本体６の下面に取付け部７を有し、この取付け部７がミクロトーム８上に装着されている（図２参照）。
【００１１】
固定クランプ２は、図７〜図９に示すように、方形板状で、台形の断面形状を誘導体する取付け板９上にクランプ板１０が２本の皿小ねじ１１により固着されてなり、基台本体６の上面に刻設された蟻溝１２に取付け板９が挿脱自在に嵌挿されている（図２参照）。また、図７に示すように、クランプ板１０の１対の対向片には、カセットブロックを構成するカセットの対向側壁の一方が係合しうる複数個の切欠き部１３〜１６が刻設されており、各切欠き部１３〜１６の上縁は鋭角状に形成されている。
【００１２】
さらに、図９に示すように、蟻溝１２内には、ねじ部１７の先端に鋼球１８が嵌着されてなるストッパー１９が螺設されており、その鋼球１８が取付け板９の皿小ねじ１１の頭部に刻設された締付け用十字溝２０に係脱自在に係合して、取付け板９が蟻溝１２から抜け出すのを防止している。
【００１３】
可動クランプ３は、図４及び図５に示すように、方形板状のクランプ板２１の中央に支軸２２が皿ボルト２３によりＴ字形に突設されてなるものである。クランプ板２１は、その上縁に鉤状の係止部２４が形成されている。また、支軸２２は、基台本体６内に後述するカム軸４と直角方向に穿設された軸孔２５に摺動自在に挿入されている。そして、支軸２２の摺動により、クランプ板２１の係止部２４は固定クランプ２の切欠き部１３〜１６との間を開閉する。
【００１４】
カム軸４は、図４〜図６に示すように、その中央にカム部２６と、一側に小径の段部２７とが形成されてなり、基台本体６を貫通して可動クランプ３の支軸２２と直角方向に穿設された軸孔２８に回動自在に挿入されている。カム部２６の外周面には、可動クランプ３の支軸２２の先端面が当接されている。また、カム軸４の一端には、操作ハンドル２９が皿小ねじ３０により固定されている。さらに、図６に示すように前記段部２７には、基台本体６の裏面から螺設されたストッパー３１の先端が摺動自在に嵌め込まれており、カム軸４が軸方向に移動するのを防止している。
【００１５】
付勢手段５は、図３及び図４に示すように、引張コイルばねからなる弾性体３２を左右１対備えてなる。各弾性体３２は、基台本体６の支軸２２の左右及び可動クランプ３のクランプ板２１の左右両端に穿設された弾性体挿入孔３３、３４に挿入され、一端が基台本体６に螺設されて弾性体挿入孔３３内に突出した皿小ねじ３５の先端に引っ掛けられるとともに、他端がクランプ板２１の弾性体挿入孔３４に架設されたピン３６に引っ掛けられている。これにより、弾性体３２は、可動クランプ３をカム軸４の方向即ち固定クランプ２の方向に付勢する。
【００１６】
次に、蒸気構成のカセットクランプを使用して顕微鏡標本を作製する方法を図５及び図１０〜図１２に基づいて説明する。
まず、図５に示すように、操作ハンドル２９を水平位置に倒すと、可動クランプ３は弾性体３２の付勢力により全閉状態になり、可動クランプ３の支軸２２はカム軸４のカム部２６に当接する。
【００１７】
次に、図１０に示すように、操作ハンドル２９を垂直位置に立てると、カム部２６は９０度回転し、支軸２２を弾性体３２の付勢力に抗して図中の左方向に押し進め、可動クランプ３は全開状態になる。続いて、カセットブロック３７を固定クランプ２と可動クランプ３との間の基台本体６上に置く。このカセットブロック３７は、そのカセット３８の傾斜壁を除く三方の側壁の下半部に固定クランプ２のクランプ板１０と同じ高さの係止部３９が形成されるとともに、カセット３８の上面に検体４０を包埋したパラフィン部４１が形成されている。そして、係止部３９の傾斜側壁に突出した部分を固定クランプ２の切欠き部１３に係合させる。
【００１８】
次に、図１１に示すように、再度操作ハンドル２９を水平位置に戻すと、カム部２６が９０度逆回転し、可動クランプ３の支軸２２がカム部２６から離れる。そのため、可動クランプ３は弾性体３２の付勢力により閉じ、固定クランプ２との間にカセットブロック３７を挟持して固定する。このとき、支軸２２がカム部２６から離れているので、弾性体３２の付勢力はすべてカセットブロック３７の挟持に向けられ、カセットブロック３７は強固に固定される。なお、図１２は、図１１の平面図である。
かくして、ミクロトーム８によりカセットブロック３７のパラフィン部４１をスライスし、スライスした薄片に染色等の所定の処理を施して顕微鏡標本を得るのである。
【００１９】
なお、図１３は、図１４に示すような通常のカセットブロック４２を切欠き部１４に係合させた場合、また図１５は、図１６に示すような小形のカセットブロック４３を切欠き部１５に係合させた場合、更に図１７は、図１８に示すような大形のカセットブロック４４をその側壁に設けられた係止部４５を切欠き部１６に係合させた場合を示している。
【００２０】
【発明の効果】
本発明は、以上説明したように、固定クランプが、その１対の対向辺に種々のカセットブロックに係合しうる切欠き部を複数個形成するとともに、前記両対向辺を互いに入れ替えるように転回可能に且つ着脱自在に基台上に固定される構成としたので、様々のカセットブロックに適用可能で、従来のようにカセットブロックの種類の数の多数のカセットクランプを必要とせず、従って、カセットクランプ取り替えの手間も不要である。従って、顕微鏡標本の作製に要する手間と時間が大幅に短縮され、作業能率が飛躍的に向上するとともに費用が少なくてすむという利点を有する。
【図面の簡単な説明】
【図１】本発明の一実施例を示すカセットクランプの平面図である。
【図２】図１の正面図である。
【図３】図１の左側面図である。
【図４】図２のIV−IV線断面図である。
【図５】図４のＶ−Ｖ線断面図である。
【図６】図４のIV−IV線断面図である。
【図７】本発明に用いる固定クランプの平面図である。
【図８】図７のIIX −IIX 線断面図である。
【図９】図７のIX−IX線断面図である。
【図１０】本発明の作用を示す工程図である。
【図１１】本発明の作用を示す次の工程図である。
【図１２】図１１の平面図である。
【図１３】通常のカセットブロックの固定状態を示す平面図である。
【図１４】図１３に示されたカセットブロックの右側面図である。
【図１５】小形のカセットブロックの固定状態を示す平面図である。
【図１６】図１５に示されたカセットブロックの右側面図である。
【図１７】大形のカセットブロックの固定状態を示す平面図である。
【図１８】図１７に示されたカセットブロックの右側面図である。
【符号の説明】
１  基台                          ２  固定クランプ
３  可動クランプ                  ８  ミクロトーム
１３〜１６  切欠き部              ３７、４２〜４４  カセットブロック
【図１】
0003824762.tif 000002
【図２】
0003824762.tif 000003
【図３】
0003824762.tif 000004
【図４】
0003824762.tif 000005
【図５】
0003824762.tif 000006
【図６】
0003824762.tif 000007
【図７】
0003824762.tif 000008
【図８】
0003824762.tif 000009
【図９】
0003824762.tif 000010
【図１０】
0003824762.tif 000011
【図１１】
0003824762.tif 000012
【図１２】
0003824762.tif 000013
【図１３】
0003824762.tif 000014
【図１４】
0003824762.tif 000015
【図１５】
0003824762.tif 000016
【図１６】
0003824762.tif 000017
【図１７】
0003824762.tif 000018
【図１８】
0003824762.tif 000019